(57)【要約】【課題】２つ以上の成分を混合し、塗布するアセンブリを提供すること。【解決手段】出口を含む遠位端であって、出口は、第１の状態中に少なくとも第１の構成を規定し、第２の状態中に少なくとも第２の構成を規定する、遠位端を備えているスプレー先端アセンブリ。遠位端は、出口が前記第１の構成から第２の構成に変化するように曲がるように構成される、スプレー先端アセンブリ。遠位端は、出口が第１の構成から第２の構成に変化するように拡張するように構成される、スプレー先端アセンブリ。計量分配アセンブリを動作可能に係合するように構成される近位端をさらに含む、スプレー先端アセンブリ。【選択図】図１
2011083615.tif 000002
【特許請求の範囲】
【請求項１】
出口を含む遠位端であって、該出口は、第１の状態中に少なくとも第１の構成を規定し、第２の状態中に少なくとも第２の構成を規定する、遠位端を備えているスプレー先端アセンブリ。
【請求項２】
前記遠位端は、上記出口が前記第１の構成から前記第２の構成に変化するように曲がるように構成される、請求項１に記載のスプレー先端アセンブリ。
【請求項３】
前記遠位端は、前記出口が前記第１の構成から前記第２の構成に変化するように拡張するように構成される、請求項１に記載のスプレー先端アセンブリ。
【請求項４】
計量分配アセンブリを動作可能に係合するように構成される近位端をさらに含む、請求項１に記載のスプレー先端アセンブリ。
【請求項５】
前記遠位端は、屈曲および拡張のうちの少なくとも１つを可能にする材料を含む、請求項１に記載のスプレー先端アセンブリ。
【請求項６】
前記遠位端の少なくとも一部分はシリコーンを含む、請求項１に記載のスプレー先端アセンブリ。
【請求項７】
前記出口は、正常動作中に前記第１の構成を規定し、該出口が少なくとも部分的にふさがれたとき前記第２の構成を規定する、請求項１に記載のスプレー先端アセンブリ。
【請求項８】
前記遠位端は、前記第１の構成から前記第２の構成に変化するように半径方向に屈曲することおよび拡張することのうちの少なくとも１つを行うように構成される、請求項１に記載のスプレー先端アセンブリ。
【請求項９】
前記遠位端は、前記第１の構成から前記第２の構成に変化するように遠位方向に屈曲することおよび拡張することのうちの少なくとも１つを行うように構成される、請求項１に記載のスプレー先端アセンブリ。
【請求項１０】
前記遠位端は、前記第１の構成から前記第２の構成に変化するように半径方向にかつ遠位方向に屈曲することおよび拡張することのうちの少なくとも１つを行うように構成される、請求項１に記載のスプレー先端アセンブリ。
【請求項１１】
前記出口は、前記第１の構成において第１の直径を有し、前記第２の構成において第２の直径を有する実質的に楕円形の開口部を規定する、請求項１に記載のスプレー先端アセンブリ。
【請求項１２】
前記出口は、前記第１の構成において第１の直径を有し、前記第２の構成においてより大きい直径を有する開口部を規定する、請求項１に記載のスプレー先端アセンブリ。
【請求項１３】
出口を含む遠位端を有するスプレー先端アセンブリを備え、該出口は、正常動作中に少なくとも第１の構成を規定し、該出口が少なくとも部分的にふさがれたとき少なくとも第２の構成を規定する、自己清浄塗布器。
【請求項１４】
出口を含むスプレー先端アセンブリを備え、該スプレー先端アセンブリは、該出口から障害物を除去することが可能である、自己清浄塗布器。
【請求項１５】
出口を規定するスプレー先端アセンブリを備え、該スプレー先端アセンブリは、該出口から障害物を除去するために断面形状の変化を受けることが可能である、自己清浄塗布器。
【発明の詳細な説明】
【技術分野】
【０００１】
（関連出願の参照）
本出願は、２００９年４月２２日に出願された米国特許出願第１２／４２７，９６５号の一部継続出願であり、この米国特許出願は、２００８年４月２５日に出願された米国仮出願第６１／０４７，８２６号の利益およびそれに対する優先権を主張し、各出願の内容の全体が本明細書において参照によって援用される。
【０００２】
（背景）
（技術分野）
本開示は、２つ以上の成分を混合し、塗布するアセンブリに関する。より詳細には、本開示は、塗布器アセンブリと共に使用するスプレー先端に関し、このスプレー先端は自己清浄が可能である。
【背景技術】
【０００３】
（関連技術の背景）
２つ以上の成分を計量分配する塗布器アセンブリは公知である。医療装置分野において、そのようなアセンブリは、典型的には、創傷閉鎖において用いられる生体接着剤、ポリマーおよび他の合成材料を塗布するために用いられる。生体接着剤を形成するために用いられる成分の反応物質の性質のために、溶液が塗布される準備ができるまで、成分の混合は行われない。塗布の前の早過ぎる成分の混合は、結果として混合物の時期尚早の硬化をもたらし得、それによって溶液の塗布を不可能にし得る。従って、公知の塗布器アセンブリにおいて、２つ以上の成分は、塗布の直前まで別々に維持される。塗布器アセンブリは、塗布の前に２つ以上の溶液を混合するための１つ以上の混合手段を含む。混合手段は、受動的（すなわち管における螺旋形構成）であるか、または代わりに、能動的（すなわち混合刃または羽根車）であり得る。一旦混合されると、溶液は、針様の出口を通って塗布され得るか、または代わりにスプレーアセンブリを通って排出され得る。塗布の前の２つ以上の成分の完全な混合は、溶液が意図されるように機能することを確実にするために重要である。
【０００４】
処置中に必要とされ得るような塗布器アセンブリの断続的な使用は、塗布器先端の出口を詰まらせる傾向がある。その結果、ほとんどの塗布器アセンブリは、先端の詰まりが発生したときのために若干数の取り替え用先端を備えつけられる。詰まった塗布器先端を取り替えることは、処置の流れを中断し、時間がかかり、そして費用の追加となる。
【発明の概要】
【発明が解決しようとする課題】
【０００５】
従って、自己清浄が可能な塗布器先端を有することが有益である。
【課題を解決するための手段】
【０００６】
（概要）
従って、自己清浄が可能なスプレー先端アセンブリが提供される。スプレー先端アセンブリは、出口を含む遠位端を含む。出口は、第１の状態中に少なくとも第１の構成を規定し、第２の状態中に少なくとも第２の構成を規定する。遠位端は、出口が第１の構成から第２の構成に変化するように、屈曲することおよび拡張することのうちの少なくとも１つを行うように構成され得る。スプレー先端アセンブリは、計量分配アセンブリを動作可能に係合するように構成される近位端をさらに含み得る。遠位端は、屈曲および拡張のうちの少なくとも１つを可能にする材料から構成される。遠位端の少なくとも一部分はシリコーンを含み得る。出口は、正常動作中に第１の構成を規定し、出口がふさがれたとき第２の構成を規定する。遠位端は、第１の構成から第２の構成に変化するように半径方向に屈曲し、拡張し得る。遠位端は、第１の構成から第２の構成に変化するように遠位方向に外側に屈曲することおよび拡張することのうちの少なくとも１つを行い得る。遠位端は、第１の構成から第２の構成に変化するように半径方向にかつ遠位方向に屈曲することおよび拡張することのうちの少なくとも１つを行い得る。出口は、第１の構成において第１の直径を有し、第２の構成において第２の直径を有する実質的に円形の開口部を規定し得る。出口は、第１の構成において第１の直径を有し、第２の構成においてより大きい直径を有する開口部を規定し得る。
【０００７】
自己清浄塗布器もまた提供される。自己清浄塗布器の一実施形態は、出口を含む遠位端を有するスプレー先端アセンブリを含む。出口は、正常動作中に少なくとも第１の構成を規定し、出口が少なくとも部分的にふさがれたとき少なくとも第２の構成を規定する。
【０００８】
別の実施形態において、自己清浄塗布器は、出口を含む遠位端を有するスプレー先端アセンブリを含み、出口は、正常動作中に少なくとも第１の構成を規定し、出口が少なくとも部分的にふさがれたとき少なくとも第２の構成を規定する。
【０００９】
さらに別の実施形態において、自己清浄塗布器は、出口を含むスプレー先端アセンブリを含む。スプレー先端アセンブリは、出口から障害物を除去することが可能である。
【００１０】
なおも別の実施形態において、自己清浄塗布器は、出口を規定するスプレー先端アセンブリを含む。スプレー先端アセンブリは、出口から障害物を除去するために断面形状における変化を受けることが可能である。
【００１１】
本明細書に組み込まれ、本明細書の一部を構成する添付の図面は、本開示の実施形態を例示し、上記になされる本開示の全体的な説明および以下になされる実施形態の詳細な説明と共に本開示の原理を説明することに役立つ。
【００１２】
例えば、本発明は以下の項目を提供する。
（項目１）
出口を含む遠位端であって、該出口は、第１の状態中に少なくとも第１の構成を規定し、第２の状態中に少なくとも第２の構成を規定する、遠位端を備えているスプレー先端アセンブリ。
（項目２）
上記遠位端は、上記出口が上記第１の構成から上記第２の構成に変化するように曲がるように構成される、上記項目のいずれかに記載のスプレー先端アセンブリ。
（項目３）
上記遠位端は、上記出口が上記第１の構成から上記第２の構成に変化するように拡張するように構成される、上記項目のいずれかに記載のスプレー先端アセンブリ。
（項目４）
計量分配アセンブリを動作可能に係合するように構成される近位端をさらに含む、上記項目のいずれかに記載のスプレー先端アセンブリ。
（項目５）
上記遠位端は、屈曲および拡張のうちの少なくとも１つを可能にする材料を含む、上記項目のいずれかに記載のスプレー先端アセンブリ。
（項目６）
上記遠位端の少なくとも一部分はシリコーンを含む、上記項目のいずれかに記載のスプレー先端アセンブリ。
（項目７）
上記出口は、正常動作中に上記第１の構成を規定し、該出口が少なくとも部分的にふさがれたとき上記第２の構成を規定する、上記項目のいずれかに記載のスプレー先端アセンブリ。
（項目８）
上記遠位端は、上記第１の構成から上記第２の構成に変化するように半径方向に屈曲することおよび拡張することのうちの少なくとも１つを行うように構成される、上記項目のいずれかに記載のスプレー先端アセンブリ。
（項目９）
上記遠位端は、上記第１の構成から上記第２の構成に変化するように遠位方向に屈曲することおよび拡張することのうちの少なくとも１つを行うように構成される、上記項目のいずれかに記載のスプレー先端アセンブリ。
（項目１０）
上記遠位端は、上記第１の構成から上記第２の構成に変化するように半径方向にかつ遠位方向に屈曲することおよび拡張することのうちの少なくとも１つを行うように構成される、上記項目のいずれかに記載のスプレー先端アセンブリ。
（項目１１）
上記出口は、上記第１の構成において第１の直径を有し、上記第２の構成において第２の直径を有する実質的に楕円形の開口部を規定する、上記項目のいずれかに記載のスプレー先端アセンブリ。
（項目１２）
上記出口は、上記第１の構成において第１の直径を有し、上記第２の構成においてより大きい直径を有する開口部を規定する、上記項目のいずれかに記載のスプレー先端アセンブリ。
（項目１３）
出口を含む遠位端を有するスプレー先端アセンブリを備え、該出口は、正常動作中に少なくとも第１の構成を規定し、該出口が少なくとも部分的にふさがれたとき少なくとも第２の構成を規定する、自己清浄塗布器。
（項目１４）
出口を含むスプレー先端アセンブリを備え、該スプレー先端アセンブリは、該出口から障害物を除去することが可能である、自己清浄塗布器。
（項目１５）
出口を規定するスプレー先端アセンブリを備え、該スプレー先端アセンブリは、該出口から障害物を除去するために断面形状の変化を受けることが可能である、自己清浄塗布器。
【００１３】
(摘要）
自己清浄が可能なスプレー先端アセンブリが提供される。スプレー先端アセンブリは、出口を含む遠位端を含む。出口は、第１の状態中に少なくとも第１の構成を規定し、第２の状態中に少なくとも第２の構成を規定する。遠位端は、出口が第１の構成から第２の構成に変化するように、屈曲することおよび拡張することのうちの少なくとも１つを行うように構成され得る。
【図面の簡単な説明】
【００１４】
【図１】図１は、本開示の実施形態に従う、スプレー先端アセンブリを含む塗布器アセンブリの分解組立斜視図である。
【図２】図２は、図１の塗布器アセンブリのマニホルドの断面側面図である。
【図３】図３は、図１の塗布器アセンブリのスプレー先端アセンブリの断面側面図である。
【図４】図４は、図３のスプレー先端アセンブリの遠位端の拡大断面図である。
【図５】図５は、想像図で示される内部構造を有する、図３および図４のスプレー先端アセンブリの側面図である。
【図６】図６は、線６−６に沿ってとられた、図５のスプレー先端アセンブリの断面図である。
【図６Ａ】図６Ａは、図６のスプレー先端の代替の実施形態の断面図である。
【図７】図７は、本開示の別の実施形態に従う塗布器アセンブリの分解組立斜視図である。
【図８】図８は、図７の塗布器アセンブリの平面図である。
【図９】図９は、図８の線９−９に沿ってとられた、図７および図８の塗布器アセンブリの断面側面図である。
【図１０】図１０は、図９の部分１０の拡大断面図である。
【図１１】図１１は、図１０の線１１−１１に沿ってとられた、図９のスプレー先端アセンブリの断面図である。
【図１２】図１２は、様々な材料から構成されるスプレー先端アセンブリの有効性を決定するために行われた研究の結果を示すグラフである。
【図１３Ａ】図１３Ａは、第１の状態または拡張されていない状態および／または屈曲していない状態における、図７のスプレー先端アセンブリの遠位端の断面図である。
【図１３Ｂ】図１３Ｂは、半径方向に拡張させられた状態および／または屈曲した状態における、図１２Ａのスプレー先端アセンブリの遠位端の断面図である。
【図１４Ａ】図１４Ａは、第１の状態または拡張されていない状態および／または屈曲していない状態における、図７のスプレー先端アセンブリの遠位端の断面図である。
【図１４Ｂ】図１４Ｂは、長手方向に拡張された状態および／または屈曲した状態における、図１３Ａのスプレー先端アセンブリの遠位端の断面図である。
【発明を実施するための形態】
【００１５】
（詳細な説明）
最初に図１を参照すると、本開示に従うスプレー先端アセンブリを含む塗布器アセンブリが、全体として塗布器アセンブリ１０として示される。塗布器アセンブリ１０は、マニホルドまたはベース２０と、マニホルド２０から延びる細長いシャフト３０と、細長いシャフト３０の遠位端３０ｂに位置を決められるスプレー先端アセンブリ５０とを含む。塗布器アセンブリ１０は、スプレー先端アセンブリ５０内に受容され、細長いシャフト３０の遠位に位置を決められるように構成されるインサート４０をさらに含む。
【００１６】
ここで図２を参照すると、マニホルド２０は、第１の近位延長部２２および第２の近位延長部２４と、遠位延長部２６とを有する実質的にＹ形状の部材を含む。近位延長部２２、２４は、例えば注入器などの、第１の成分の供給源および第２の成分の供給源（図示されていない）を動作可能に係合するように構成される。遠位延長部２６は、以下にさらに詳細に考察されるように、細長いシャフト３０を動作可能に係合するように構成される。マニホルド２０は、第１の成分のチャネル２３と、第２の成分のチャネル２５とをさらに含む。第１の成分のチャネル２３および第２の成分のチャネル２５は、第１の成分の供給源および第２の成分の供給源を細長いシャフト３０内に形成される第１の内腔３３および第２の内腔３５と流体的に連絡する。示されるように、マニホルド２０は、２つの成分の供給源のみを受容するように構成されるが、マニホルド２０が３つ以上の成分の供給源を受容するように構成され得ることが想定される。
【００１７】
図１に戻って参照すると、細長いシャフト３０は、シリコーン、プラスチック、ポリマーまたは他の可撓性材料の実質的に中実の本体を規定し得る。上記のように、細長いシャフト３０は、シャフト３０の長さに沿って延びる第１の成分の内腔３３と、第２の成分の内腔３５とを含む。可鍛性材料から構成されるワイヤ３６もまた、細長いシャフト３０の長さに沿って延びる。細長いシャフト３０が所与の処置に適応するように曲げられたかまたは屈曲させられた後、ワイヤ３６は曲げられた構成または屈曲した構成に細長いシャフト３０を維持するように構成される。細長いシャフト３０は、第１の成分の内腔３３および第２の成分の内腔３５がそれぞれ第１の成分のチャネル２３および第２の成分のチャネル２５に整列するように、マニホルド２０の遠位延長部２６に固定される。あるいは、細長いシャフト３０は、マニホルド２０の遠位端に一体的に形成され得る。細長いシャフト３０は、溝、移動止め、ねじ切りをさらに含み得、またはそうでなければスプレー先端アセンブリ５０を確実に係合するように構成され得る。
【００１８】
ここで図３〜図６を参照すると、スプレー先端アセンブリ５０は、開放した近位端５２ａと、実質的に閉鎖した遠位端５２ｂとを有する実質的に円筒形の本体５２を規定する。開放した近位端５２ａは、細長いシャフト３０の遠位端３０ｂを受容するように構成される（図３）。以下にさらに詳細に考察されるように、遠位端５２ｂは、完全に混合された溶液を排出するように構成される出口５９を含む。スプレー先端アセンブリ５０は、シリコーンまたは他の適切な生体適合材料から構成され得る。
【００１９】
一実施形態において、スプレー先端アセンブリ５０は、例えば、Ｍｏｍｅｎｔｉｖｅ  Ｐｅｒｆｏｒｍａｎｃｅ  Ｍａｔｅｒｉａｌｓ，Ｗａｔｅｒｆｏｒｄ，ＮＹから入手可能なＴＵＦＥＬ（登録商標）ＩＩ  ９４７０６（シリコーンゴム化合物）およびＬＩＭ（登録商標）６０７１（液体シリコーンゴム）などのシリコーンエラストマーから構成される。試験によって、７０デュロメータを有するシリコーンから構成されるスプレー先端アセンブリ５０が、動作中に、それ自体が詰まりをなくすことが可能であることが見出された。様々なデュロメータの他のシリコーンもまた、それ自体が清浄するかまたは詰まりをなくすことに有効であり得ることが想定される。シリコーンの可撓性の性質は、スプレー先端アセンブリ５０が詰まっている間に受ける増加した圧力の下で、スプレー先端アセンブリ５０が屈曲することを可能にする。スプレー先端アセンブリ５０の屈曲は、スプレー先端アセンブリ５０内に形成され得るいかなる詰まりも取り除く。さらに、シリコーンの非湿潤性の表面特性（疎水性）は、スプレー先端アセンブリ５０の詰まりを防ぐのを助け得る。動作中に、それ自体が詰まりをなくすというスプレー先端アセンブリ５０の能力は、スプレー先端アセンブリ５０を繰返し変える必要なく、塗布器アセンブリ１０の連続した使用を可能にする。この態様で、処置の長さは減少させられ得、複数のスプレー先端アセンブリを用いるという費用および不便が除去される。
【００２０】
なおも図３〜図６を参照すると、スプレー先端アセンブリ５０は、第１のチャンバ５４と、中間チャンバ５６と、最終チャンバ５８とを含む。第１のチャンバ５４は、細長いシャフト３０の遠位端３０ｂを受容するための実質的に円筒形の空洞を規定する。以下にさらに詳細に考察されるように、第１のチャンバ５４は、細長いシャフト３０の遠位端３０ｂがインサート４０に対して同一平面で受容されるように構成される。しかしながら、細長いシャフト３０の遠位端３０ｂがインサート４０から近位に間隔を空けて置かれるように第１のチャンバ５４が構成されることが想定される。中間チャンバ５６は、インサート４０を受容するように構成される実質的に円筒形の空洞を規定する。中間チャンバ５６は、インサート４０（図６において想像線で示される）を中間チャンバ５６内で中心に維持するためのリブまたはスペーサ５６ａを含む。インサート４０は、中間チャンバ５６内に位置を決められる中実の実質的に円筒形の部材を含み、リブ５６ａによって作られる空間においてインサート４０の周りに第１および第２の成分を流すようにする。インサート４０が中間チャンバ５６から第１のチャンバ５４の中に近位に延びるような大きさで作られ得、インサート４０が細長いシャフト３０の遠位端３０ｂに対して同一平面で受容されること確実にし得ることが想定される。
【００２１】
なおも図３〜図６を参照すると、最終チャンバ５８は、先細の遠位部分５８ａを有する実質的に円筒形の空洞を規定する。スプレー先端アセンブリ５０は、中間チャンバ５６および最終チャンバ５８と流体的に連絡する、スプレー先端アセンブリ５０に形成されるスロット５７を含む。スロット５７は、向かい合う開口部を規定し、この向かい合う開口部は、最終チャンバ５８に接する線と接線から反時計回りに約２０度（２０°）との間に最終チャンバ５８から外側に斜めになっている。以下にさらに詳細に考察されるように、スロット５７は、部分的に混合された第１および第２の成分を中間チャンバ５６内から最終チャンバ５８の中に向ける。一対の向かい合う開口部として示されるが、スプレー先端アセンブリ５０が、１つのみのスロット５７（図６Ａ）を含み得るか、または代わりに３つ以上のスロット５７（図６Ａに想像図で示される）を含み得ることが想定される。出口５９は、完全に混合された溶液をおおよそ円錐形のスプレーに霧状にするように構成される。図４に示されるように、近位から遠位に、出口５９は、第１の円筒形部分５９ａと、第２の円筒形部分５９ｂと、凹部分５９ｃとを含む。しかしながら、出口５９が第２の円筒形部分５９ｂなしで形成され得ることが想定される。
【００２２】
塗布器アセンブリ１０の動作が、ここで図に関連して説明される。使用前にインサート４０は、スプレー先端センブリ５０の中間チャンバ５６内に受容される。上記に考察されるように、インサート４０は、中間チャンバ５６を通過する流体が、複数のリブ５６ａ間に作られる空間においてインサート４０の周りに押し込まれるように位置を決められる。スプレー先端アセンブリ５０は、細長いシャフト３０の遠位端３０ｂに選択可能に受容される。上記に考察されるように、マニホルド２０は、細長いシャフト３０と一体的に形成され得るか、または代わりに、使用前に細長いシャフト３０をマニホルド２０に手動で固定し、第１の成分のチャネル２３および第２の成分のチャネル２５が第１の成分の内腔３３および第２の成分の内腔３５と整列することを確認することが必要であり得る。第１の成分の供給源および第２の成分の供給源（図示されていない）は、それぞれ、次に第１の近位延長部２２および第２の近位延長部２４に接続される。一旦マニホルド２０に固定されると、第１の成分の供給源および第２の成分の供給源は、例えば注入器プランジャ（図示されていない）の押下などによって作動され得、第１の成分のチャネル２３および第２の成分のチャネル２５内に第１の成分および第２の成分を流すことを開始し得る。第１の成分および第２の成分はそれぞれ、第１の成分のチャネル２３および第２の成分のチャネル２５を通り、第１の成分の内腔３３および第２の成分の内腔３５を通って、スプレー先端アセンブリ５０の中に流れる。
【００２３】
第１の成分の内腔３３および第２の成分の内腔３５から流れる第１の成分および第２の成分は、中間チャンバ５６によって保持されるインサート４０に出会う。第１の成分の内腔３３および第２の成分の内腔３５は、第１の成分および第２の成分がリブ５６ａとインサート４０との間に作られる空間においてインサート４０の周りに流れ得るように、間隔を空けて置かれる。第１の成分および第２の成分は、次いで、スロット５７の中に押し込まれ、スロット５７において、それらの成分は、最終チャンバ５８の方に半径方向に内側に向けられる。スロット５７を通る混合物の流れは、混合物が最終チャンバ５８に入ると、混合物に渦運動を加える。その後、完全に混合された溶液は、それが円錐形のスプレーで出口５９を通って排出されると、霧状にされる。
【００２４】
図７〜図１１を見ると、本開示の代替の実施形態が全体として塗布器アセンブリ１１０として示される。塗布器アセンブリ１１０は、塗布器アセンブリ１０と実質的に同様であり、従って、それらの間における相違に関してのみ説明される。最初に図７および図８を参照すると、塗布器アセンブリ１１０は、一対の逆止め弁１０５を受容するように構成されるマニホルドまたはベース１２０と、マニホルド１２０から延びる細長いシャフト１３０と、細長いシャフト１３０の遠位端に位置を決められるスプレー先端アセンブリ１５０とを含む。インサート１４０はスプレー先端アセンブリ１５０内に受容され、収縮管１６０はスプレー先端アセンブリ１５０の周りに受容される。
【００２５】
図７を参照すると、第１の成分のチャネル１２３および第２の成分のチャネル１２５は、マニホルド１２０の遠位端から延びる。第１の成分のチャネル１２３および第２の成分のチャネル１２５は、細長いシャフト１３０を通って延びる第１の成分の内腔１３３および第２の成分の内腔１３５と流体的に連絡するように構成される。この構成は、マニホルド１２０と細長いシャフト１３０との間のより確実な流体密閉を可能にする。
【００２６】
ここで図９および図１０を参照すると、インサート１４０は、インサート４０と実質的に同様であり、スプレー先端アセンブリ１５０内に受容されるように構成される実質的に円筒形の部材を含む。示されるように、インサート１４０は、インサート１４０の第１の端部に半球の凹部１４１を含むが、しかしながら、製造および組み立てを容易にするために、半球の凹部１４１は、インサート１４０の両端部に形成され得ることが想定される。凹部１４１は、混合物が出口５９を通って排出される前に、第１の成分および第２の成分の流れに乱流を作るように構成される。
【００２７】
なおも図９および図１０を参照すると、収縮管１６０は、スプレー先端アセンブリ１５０の周りに受容され、動作中のスプレー先端アセンブリ１５０の過度の半径方向への拡張／屈曲を防ぐ。収縮管１６０はまた、スプレー先端アセンブリ１５０を細長いシャフト１３０に固定することを助け得る。収縮管１６０は、Ｔｅｆｌｏｎ（登録商標）または他の適切な材料から形成され得る。
【００２８】
ここで図１１を参照すると、スプレー先端アセンブリ１５０は、上記に説明されるスプレー先端アセンブリ５０に実質的と同様であり、半径方向に延びるスロット１５７を含む。ガターまたは環状の凹部１５７ａは、スロット１５７の周りに形成される。ガター１５７ａは、部分的に混合された第１の成分および第２の成分をスロット１５７に向けるように構成される。
【００２９】
ここで図１２〜図１４Ｂを参照すると、スプレー先端アセンブリ１５０の断続的な使用中に、スプレー先端アセンブリ１５０に保持される接着剤が重合化またはゲル化し始めると、スプレー先端アセンブリ１５０の出口１５９が、詰まった状態になり得るかまたはふさがれるようになり得る。少しの間スプレーを停止した後に、適切に機能を果たす（すなわち、スプレーを継続するかまたは自身で詰まりをなくしてスプレーを継続する）という様々な材料のスプレー先端アセンブリの能力を比較する研究がなされた。試験された材料は、Ｃ−Ｆｌｅｘ  Ｒ７０−００５（３０  デュロメータ）と、Ｄｙｎａｆｌｅｘ  ＧＬＳ  ２７１１（４３  デュロメータ）と、Ｓａｎｔａｐｒｅｎｅ  ２８１−６４（６０  デュロメータ）と、Ｐｅｌｌａｔｈａｎｅ（９０  デュロメータ）と、ＧＥ  Ｓｉｌｉｃｏｎｅ（７０  デュロメータ）とを含んだ。研究の結果は、シリコーンから構成されるスプレー先端アセンブリが、繰返し、自身であらゆる障害物の詰まりをなくし、その時間の１００％でスプレー動作を継続することが可能であったことを示す。以下の表１および図１２を参照されたい。
【００３０】
【表１】
2011083615.tif 000003
図１３Ａおよび図１３Ｂを参照すると、スプレー先端アセンブリ１５０の動作中のスプレーの少しの間の停止は、結果として、出口１５９をふさぎ得る詰まりまたは障害物「Ｃ」の形成をもたらし得る。出口１５９における詰まり「Ｃ」の存在は、スプレー先端アセンブリ１５０の少なくとも部分的なスプレー放出の停止を引き起こし、多くの場合、詰まり「Ｃ」は、出口１５９を通る流れを完全にふさぐ。出口１５９を部分的にふさぐことであろうと完全にふさぐことであろうと、詰まり「Ｃ」は、スプレー先端アセンブリ１５０内に圧力の上昇を作り出す。示されるように、詰まり「Ｃ」によって作られる圧力の上昇は、矢印「Ａ」によって描かれるように、スプレー先端アセンブリ１５９を半径方向に外側に拡張および／または屈曲させる。本明細書において用いられる場合、拡張は材料の伸張をいい、一方、屈曲は材料の変形をいう。スプレー先端アセンブリ１５０の半径方向の拡張および／または屈曲は、出口１５９の構成を変化させる。
【００３１】
示されるように、スプレー先端アセンブリ１５０の半径方向の拡張および／または屈曲は、スプレー先端アセンブリの少なくとも一部分に沿って出口１５９の直径を増加させる。半径方向の拡張および／または屈曲の度合に従って、スプレー先端アセンブリ１５０の最終チャンバ１５８もまた、スプレー先端アセンブリ１５０の少なくとも一部分に沿って直径が増加し得る。出口１５９の直径の増加は、詰まり「Ｃ」が出口１５９を通過することを可能にする。一旦出口１５９の詰まり「Ｃ」が除去されると、スプレー先端アセンブリ１５０内の圧力の上昇は消散し、出口１５９は元の拡張されていない／屈曲されていない構成に戻る。この態様で、スプレー先端アセンブリ１５０は、詰まり「Ｃ」を自己清浄することが可能であり、自己清浄は、追加の外部の影響なしに、出口１５９から、詰まり「Ｃ」を除去することが可能であることを意味する。スプレー先端アセンブリ１５０の構成は、一様な半径方向の拡張／屈曲または対称的な半径方向の拡張／屈曲として示されるが、スプレー先端アセンブリ１５０の非対称的な拡張および／または屈曲を可能にし得ることは理解される。この態様で、出口１５９は、例えば、引き伸ばしなどの非対称的な拡張／屈曲を受け得る。
【００３２】
ここで図１４Ａおよび図１４Ｂを見ると、スプレー先端アセンブリ１５０内において詰まり「Ｃ」によって作られる圧力の上昇は、さらにまたは代わりに、矢印「Ｂ」によって示されるように、スプレー先端アセンブリ１５０を遠位方向または長手方向に拡張および／または屈曲させ得る。スプレー先端アセンブリ１５０の長手方向の拡張および／または屈曲は、出口１５９の構成の変化を引き起こす（想像線で示される）。示されるように、スプレー先端アセンブリ１５０の長手方向の拡張および／または屈曲は、スプレー先端アセンブリの少なくとも一部分に沿って出口１５９の直径を増加させる。半径方向の拡張および／または屈曲の度合に従って、スプレー先端アセンブリ１５０の最終チャンバ１５８もまた、スプレー先端アセンブリ１５０の少なくとも一部分に沿って直径が増加または減少し得る。
【００３３】
図示されていないが、スプレー先端アセンブリ１５０の中間チャンバ１５６は、スプレー先端アセンブリ１５０の半径方向および／または長手方向の拡張／屈曲中に構成の変化を受け得る。拡張および／または屈曲の期間中に、詰まり「Ｃ」が出口１５９から除去されると、インサート１４０に対する第１の成分および第２の成分の力は、中間チャンバ１５６の遠位端に対して同一平面でインサート１４０の遠位端１４０ａを維持し、それによって、第１の成分および第２の成分は最終チャンバ１５８の中に適切に向けられる。
【００３４】
様々に構成されるスプレー先端アセンブリ１５０の特性を公知のスプレー先端アセンブリ（図示されていない）と比較する第２の研究がなされた。研究の結果は、スプレー先端アセンブリ１５０の周りに受容されるＴｅｆｌｏｎ（登録商標）熱収縮管１６０（図７）を含むスプレー先端アセンブリ１５０が、スプレー先端アセンブリ１５０の開始／停止の機能を改善したということを示す。さらに、細長いシャフト１３０の遠位端１３０ｂとインサート１４０との間に１ｍｍ〜２ｍｍの小さい空間を配置することがスプレー性能を改善しないことを証明したことが見出された。
【００３５】
本開示の例示的な実施形態が、添付の図面を参照して本明細書において説明されたが、本開示がこれらの正確な実施形態に限定されないことと、本開示において様々な他の変更および修正が、本開示の範囲または精神から逸脱することなく当業者によって達成され得ることとは理解されるべきである。
【符号の説明】
【００３６】
１０  塗布器アセンブリ
２０  マニホルドまたはベース
２２  第１の近位延長部
２３  第１の成分のチャネル
２４  第２の近位延長部
２５  第２の成分のチャネル
２６  遠位延長部
３０  シャフト
３３  第１の成分の内腔
３５  第２の成分の内腔
３６  ワイヤ
４０  インサート
５０  スプレー先端アセンブリ
【図１】
2011083615.tif 000004
【図２】
2011083615.tif 000005
【図３】
2011083615.tif 000006
【図４】
2011083615.tif 000007
【図５】
2011083615.tif 000008
【図６】
2011083615.tif 000009
【図６Ａ】
2011083615.tif 000010
【図７】
2011083615.tif 000011
【図８】
2011083615.tif 000012
【図９】
2011083615.tif 000013
【図１０】
2011083615.tif 000014
【図１１】
2011083615.tif 000015
【図１２】
2011083615.tif 000016
【図１３Ａ】
2011083615.tif 000017
【図１３Ｂ】
2011083615.tif 000018
【図１４Ａ】
2011083615.tif 000019
【図１４Ｂ】
2011083615.tif 000020